(57)【要約】  空気調和機は、圧縮機、室外熱交換器、膨張弁、及び室内熱交換器が冷媒配管を介して接続された冷媒回路と、室内熱交換器が設置された室内の室内温度を検知する室内温度センサと、室内熱交換器の配管温度を検知する配管温度センサと、室内温度センサと配管温度センサとの検知結果に基づき圧縮機を制御する制御装置とを備え、制御装置は、室内温度センサにより検知された室内温度と設定温度とを用いて圧縮機の駆動周波数を設定すると共に、室内温度センサにより検知された室内温度から目標蒸発温度を設定する運転条件設定部と、配管温度センサにより検知された配管温度と目標蒸発温度との差分が高温閾値より小さいか否かを判定する運転条件判定部と、運転条件判定部の判定において、配管温度と目標蒸発温度との差分が高温閾値以上の場合に、駆動周波数よりも高い周波数で圧縮機を駆動させる圧縮機制御部とを有するものである。
2017179192.tif 000002
【特許請求の範囲】
【請求項１】
圧縮機、室外熱交換器、膨張弁、及び室内熱交換器が冷媒配管を介して接続された冷媒回路と、
前記室内熱交換器が設置された室内の室内温度を検知する室内温度センサと、
前記室内熱交換器の配管温度を検知する配管温度センサと、
前記室内温度センサと前記配管温度センサとの検知結果に基づき前記圧縮機を制御する制御装置と、
を備え、
前記制御装置は、
前記室内温度センサにより検知された室内温度と設定温度とを用いて前記圧縮機の駆動周波数を設定すると共に、前記室内温度センサにより検知された室内温度から目標蒸発温度を設定する運転条件設定部と、
前記配管温度センサにより検知された配管温度と前記目標蒸発温度との差分が高温閾値より小さいか否かを判定する運転条件判定部と、
前記運転条件判定部の判定において、前記配管温度と前記目標蒸発温度との差分が前記高温閾値以上の場合に、前記駆動周波数よりも高い周波数で前記圧縮機を駆動させる圧縮機制御部と、
を有する、空気調和機。
【請求項２】
前記運転条件判定部は、
前記配管温度センサにより検知された配管温度と前記目標蒸発温度との差分が低温閾値より小さいか否かをさらに判定し、
前記圧縮機制御部は、
前記運転条件判定部の判定において、前記配管温度と前記目標蒸発温度との差分が前記高温閾値より小さく前記低温閾値以上である場合に、前記圧縮機の運転周波数を下げず、前記駆動周波数が圧縮機の運転周波数より大きい場合にのみ前記駆動周波数で前記圧縮機を駆動させる請求項１に記載の空気調和機。
【請求項３】
前記圧縮機制御部は、
前記運転条件判定部の判定において、前記配管温度と前記目標蒸発温度との差分が前記低温閾値より小さい場合に、前記駆動周波数で前記圧縮機を駆動させる請求項２に記載の空気調和機。
【請求項４】
前記運転条件設定部は、前記室内温度センサが検知した室内温度から露点温度を算出し、前記露点温度を前記目標蒸発温度と設定する相関関係のテーブルを有する請求項１〜３のいずれか１項に記載の空気調和機。
【請求項５】
前記室内熱交換器に対向する室内送風機をさらに備え、
前記運転条件判定部は、前記室内温度と設定温度との差分が室温閾値より小さいか否か、かつ、前記室内送風機の回転数が最小回転数であるか否かをさらに判定し、
前記室内温度と設定温度との差分が前記室温閾値より小さく、かつ、前記室内送風機の回転数が最小回転数でない場合に前記室内送風機の回転数を下げて前記室内送風機を駆動させる室内送風機制御部をさらに有する、請求項１〜４のいずれか１項に記載の空気調和機。
【発明の詳細な説明】
【技術分野】
【０００１】
本発明は、湿度制御を行う空気調和機に関するものである。
【背景技術】
【０００２】
従来の空気調和機は、室内温度と設定温度とが離れている場合には、最初に設定温度を目標とする温度差に基づく冷房運転を行い、室内温度を設定温度に近づけ、室内温度と設定温度とが近接すると、蒸発温度を目標とする運転に切り替えるものがある（例えば、特許文献１参照）。
【先行技術文献】
【特許文献】
【０００３】
【特許文献１】特開平９−１４７２４号公報
【発明の概要】
【発明が解決しようとする課題】
【０００４】
しかし、特許文献１の空気調和機は、室内温度が設定温度に達した後に除湿を目標とした運転に切り替える。このとき、温度を目標値に近づけた後に湿度を目標値に近づけるため、温度と湿度とを素早く目標値に近づけることができない。【０００５】
本発明は、上記のような課題を解決するためになされたもので、温度と湿度とを素早く目標値に近づけることで快適な空調を行うことができる空気調和機を提供するものである。
【課題を解決するための手段】
【０００６】
本発明に係る空気調和機は、圧縮機、室外熱交換器、膨張弁、及び室内熱交換器が冷媒配管を介して接続された冷媒回路と、室内熱交換器が設置された室内の室内温度を検知する室内温度センサと、室内熱交換器の配管温度を検知する配管温度センサと、室内温度センサと配管温度センサとの検知結果に基づき圧縮機を制御する制御装置と、を備え、制御装置は、室内温度センサにより検知された室内温度と設定温度とを用いて圧縮機の駆動周波数を設定すると共に、室内温度センサにより検知された室内温度から目標蒸発温度を設定する運転条件設定部と、配管温度センサにより検知された配管温度と目標蒸発温度との差分が高温閾値より小さいか否かを判定する運転条件判定部と、運転条件判定部の判定において、配管温度と目標蒸発温度との差分が高温閾値以上の場合に、駆動周波数よりも高い周波数で圧縮機を駆動させる圧縮機制御部と、を有するものである。
【発明の効果】
【０００７】
本発明の空気調和機は、冷房運転開始当初から目標蒸発温度ＥＴｍが設定され、室内機の配管温度ＥＴと目標蒸発温度Ｅｔｍとの差分を設定閾値と比較して圧縮機の運転周波数が制御されている。この構成により、本発明の空気調和機は、室内温度を設定温度にする冷房運転条件だけではなく除湿運転条件も調整している。その結果、冷房運転開始時から温度と湿度とを素早く目標値に近づけることで快適な空調を行うことができる。
【図面の簡単な説明】
【０００８】
【図１】本発明の実施の形態１に係る空気調和機の冷媒回路の構成図である。
【図２】本発明の実施の形態１に係る空気調和機の制御装置の機能ブロック図である。
【図３】本発明の実施の形態１に係る空気調和機の制御フローを示す図である。
【図４】本発明の実施の形態２に係る空気調和機の制御装置の機能ブロック図である。
【図５】本発明の実施の形態２に係る空気調和機の制御フローを示す図である。
【発明を実施するための形態】
【０００９】
実施の形態１．
図１は、本発明の実施の形態１に係る空気調和機の冷媒回路の構成図である。空気調和機１は、空調対象空間を空気調和するものであり、室外機１１及び室内機１２を備え、室外機１１と、室内機１２とは冷媒配管１３を介して接続されている。
【００１０】
室外機１１は、圧縮機２１、流路切替器２２、室外熱交換器２３、膨張弁２４、室外送風機３１及び制御装置４０を備えている。室内機１２は、室内熱交換器２５、室内送風機３２、配管温度センサ３３、室内温度センサ３４及び室内送風機回転数センサ３６を備えている。また、空気調和機１は、圧縮機２１、室外熱交換器２３、膨張弁２４及び室内熱交換器２５が冷媒配管１３を介して接続された冷媒回路１５を備え、冷媒回路１５内を冷媒が循環することにより、冷凍サイクルが形成されるものである。
【００１１】
圧縮機２１は、例えばスクロール式またはロータリー式等の公知技術を用いて形成されるものであり、冷媒を圧縮して吐出する。圧縮機２１は、コンプレッサモータ（ＣＭ）の周波数が、例えばインバータ等によって可変に調整されることで容量が制御される。流路切替器２２は、例えば四方弁であり、冷媒の流路方向を切り替える。流路切替器２２は、冷房運転時には圧縮機２１の吐出側と室外熱交換器２３とを接続し、圧縮機２１の吸入側と室内熱交換器２５とを接続する冷媒回路を形成する。一方、流路切替器２２は、暖房運転時には圧縮機２１の吐出側と室内熱交換器２５とを接続し、圧縮機２１の吸入側と室外熱交換器２３とを接続する冷媒回路を形成する。
【００１２】
室外熱交換器２３は、例えばフィンチューブで形成され、冷房運転時には凝縮器として機能し、暖房運転時には蒸発器として機能する。室外送風機３１は、室外熱交換器２３と対向し、室外ファンを回転させることにより室外熱交換器２３に空気を供給する。室内熱交換器２５は、例えばフィンチューブで形成され、冷房運転時には蒸発器として機能し、暖房運転時には凝縮器として機能する。室内送風機３２は、室内熱交換器２５と対向し、室内ファンを回転させることにより室内熱交換器２５に空気を供給する。室外送風機３１と室内送風機３２とは、ファンモータ（ＦＭ）の回転数が、例えばインバータ等によって可変に調整されることで回転数が制御される。膨張弁２４は、例えば電子膨張弁で形成され、開度を調整することにより冷媒配管１３を流通する冷媒の流量を調整するものである。
【００１３】
配管温度センサ３３は、室内熱交換器２５の配管に設けられ、室内熱交換器２５の配管温度ＥＴを検知するものである。室内温度センサ３４は、室内機１２に設けられ、制御装置４０に室内熱交換器２５が配置されている室内の室内温度Ｔｒを検知するものである。室内送風機回転数センサ３６は、室内送風機３２に設けられ、室内送風機３２の回転数Ｒｍを検知するものである。
【００１４】
制御装置４０は、圧縮機２１及び室内送風機３２の駆動を制御するものである。制御装置４０は、配管温度センサ３３から配管温度ＥＴ及び室内温度センサ３４から室内温度Ｔｒを取得する。また、制御装置４０は、室内送風機回転数センサ３６から室内送風機３２の回転数Ｒｍを取得する。図１では、制御装置４０は、室外機１１に設けられているが、室内機１２に設けられていてもよい。
【００１５】
図２は、本発明の実施の形態１に係る空気調和機の制御装置の機能ブロック図である。図２の制御装置４０の機能構成は、マイコン、コンピュータ等のハードウェア上でプログラムを実行させることにより、構築されたものである。制御装置４０は、運転条件設定部５１、運転条件判定部５３及び圧縮機制御部５５を備えるものである。
【００１６】
運転条件設定部５１は、駆動周波数設定部６１と、目標蒸発温度設定部６３と、設定条件記憶部６５とを備えている。駆動周波数設定部６１は、室内温度センサ３４によって検知された室内温度Ｔｒと、例えば遠隔操作器である操作部３７によって設定された設定温度Ｔｓｅｔとから、圧縮機２１の駆動周波数ｆｚｄを設定する。例えば、室内温度Ｔｒと設定温度Ｔｓｅｔとの差分が大きい場合は周波数を高くするように設定される。
【００１７】
目標蒸発温度設定部６３は、例えば、設定条件記憶部６５に記憶されている湿度と露点温度の相関関係のテーブル等を用いて、室内温度Ｔｒから求める露点温度を算出し、露点温度を目標蒸発温度ＥＴｍと設定する。露点温度は、例えば、湿度６０％として算出する。
【００１８】
運転条件判定部５３は、配管温度センサ３３により検知された配管温度ＥＴと目標蒸発温度ＥＴｍとの差分が設定閾値より小さいか否かを判定する。
【００１９】
具体的には、運転条件判定部５３は、配管温度ＥＴと目標蒸発温度ＥＴｍとの温度差ΔＥＴ（ΔＥＴ＝ＥＴ−ＥＴｍ）が、例えば低温閾値（例えば−２℃）より小さい（ΔＥＴ＜−２）か否かを判定する。温度差ΔＥＴが低温閾値以上（ΔＥＴ≧−２）の場合は、さらに、温度差ΔＥＴが、例えば高温閾値（例えば０℃）より小さい（ΔＥＴ＜０）か否かを判定する。
【００２０】
圧縮機制御部５５は、運転条件判定部５３による判定結果に基づき、コンプレッサモータ（ＣＭ）の周波数を調整して圧縮機２１の容量を制御することで、室内熱交換器の配管温度を調整し、室内温度の調整及び湿度の調整を行う。
【００２１】
具体的には、温度差ΔＥＴが、ΔＥＴ＜−２の場合は、配管温度Ｅｔが目標蒸発温度Ｅｔｍより低いために室内熱交換器２５で室内空気の水蒸気が結露する。よって、十分に除湿できる状態である。そのため、圧縮機制御部５５は、設定された駆動周波数ｆｚｄに基づき、圧縮機２１の回転数を制御して室内温度の調整を行う。
【００２２】
温度差ΔＥＴが、ΔＥＴ≧−２かつΔＥＴ＜０の場合は、配管温度Ｅｔは目標蒸発温度Ｅｔｍより低いために除湿できている状態であるが、これ以上配管温度Ｅｔが上がると除湿できない状態となる。そこで、圧縮機制御部５５は、圧縮機２１の回転数を下げず、蒸発温度を上げないで結露する状態を維持する。設定された駆動周波数ｆｚｄが圧縮機２１の回転数を上げることにより配管温度Ｅｔを低くできる場合は、設定された駆動周波数ｆｚｄに基づき、圧縮機２１の回転数を制御して室内温度と湿度の調整を行う。
【００２３】
温度差ΔＥＴが、ΔＥＴ≧０の場合は、配管温度Ｅｔは、目標蒸発温度Ｅｔｍと高いか等しいために除湿できないか除湿能力が低い状態である。そこで、圧縮機制御部５５は、設定された駆動周波数ｆｚｄによらず、周波数を上昇させ、配管温度Ｅｔが除湿可能な温度にまで低下させる。
【００２４】
図３は、本発明の実施の形態１に係る空気調和機の制御フローを示す図である。操作部３７に室内の設定温度Ｔｓｅｔが入力され（ステップＳＴ１）、冷房運転が開始される（ステップＳＴ２）。室内温度センサ３４が検知した室内温度Ｔｒが、運転条件設定部５１に入力される（ステップＳＴ３）。運転条件設定部５１は、設定温度Ｔｓｅｔと、室内温度Ｔｒとに基づき圧縮機の出力を演算し、駆動周波数ｆｚｄを設定する（ステップＳＴ４）。目標蒸発温度設定部６３は、室内温度Ｔｒから求める露点温度を算出し、露点温度を目標蒸発温度ＥＴｍとして設定する（ステップＳＴ５）。
【００２５】
運転条件判定部５３は、配管温度センサ３３から配管温度ＥＴを取得する（ステップＳＴ６）。運転条件判定部５３は、配管温度ＥＴと目標蒸発温度ＥＴｍとの温度差ΔＥＴ（ΔＥＴ＝ＥＴ−ＥＴｍ）が低温閾値（例えば−２℃）より小さい（ΔＥＴ＜−２）か否かを判定する（ステップＳＴ７）。
【００２６】
運転条件判定部５３が、温度差ΔＥＴが−２℃より小さい（ΔＥＴ＜−２）と判定した場合（ステップＳＴ７がＹＥＳ）は、圧縮機制御部５５が、圧縮機２１に設定された駆動周波数ｆｚｄを出力する（ステップＳＴ８）。
【００２７】
運転条件判定部５３が、温度差ΔＥＴが−２℃以上（ΔＥＴ≧−２）と判定した場合（ステップＳＴ７がＮＯ）は、運転条件判定部５３が、温度差ΔＥＴ（ΔＥＴ＝ＥＴ−ＥＴｍ）が高温閾値（例えば０℃）より小さい（ΔＥＴ＜０）か否かをさらに判定する（ステップＳＴ９）。
【００２８】
運転条件判定部５３が、温度差ΔＥＴが０℃より小さい（ΔＥＴ＜０）と判定した場合（ステップＳＴ９がＹＥＳ）には、圧縮機制御部５５は、周波数をダウンさせない（ステップＳＴ１０）。圧縮機制御部５５は、駆動周波数ｆｚｄが周波数を上昇させる場合のみ出力する。
【００２９】
運転条件判定部５３が、温度差ΔＥＴが０℃以上（ΔＥＴ≧０）と判定した場合（ステップＳＴ９がＮＯ）は、圧縮機制御部５５は、周波数を上昇させる（ステップＳＴ１１）。
【００３０】
その後、（ステップＳＴ８）、（ステップＳＴ１０）及び（ステップＳＴ１１）で制御された圧縮機２１の駆動に基づき変化した室内温度Ｔｒが室内温度センサ３４によって検知され（ステップＳＴ３）、上記一例の処理が繰り返される（ステップＳＴ３〜ステップＳＴ１１）。
【００３１】
以上のように、冷房運転開始当初から目標蒸発温度ＥＴｍが設定され、室内機の配管温度ＥＴと目標蒸発温度Ｅｔｍとの差分を設定閾値と比較して圧縮機の運転周波数が制御されている。この構成により、室内温度を設定温度にする冷房運転条件だけではなく除湿運転条件も調整している。その結果、冷房運転開始時から温度と湿度とを素早く目標値に近づけることで快適な空調を行うことができる。すなわち、従来は冷房運転と除湿運転とを順番に行っていたが、実施の形態１では常に除湿状態で冷房運転を行うことができる。
【００３２】
実施の形態２．
図４は、本発明の実施の形態２に係る空気調和機の制御装置の機能ブロック図である。図１〜図３の空気調和機と同一の構成を有する部位には同一の符号を付してその説明を省略する。実施の形態１では、温度差ΔＥＴにより圧縮機出力を制御するようにしたものであるが、次に温度差ΔＴｊ(室内温度Ｔｒ−設定温度Ｔｓｅｔ)が設定閾値より小さく、かつ、室内送風機３２の回転数Ｒｍが最小回転数で無い場合に室内送風機３２の回転数を制御する実施の形態２を説明する。
【００３３】
図４の制御装置４０の機能構成は、マイコン、コンピュータ等のハードウェア上でプログラムを実行させることにより、構築されたものである。制御装置４０は、運転条件設定部５１、運転条件判定部５３、圧縮機制御部５５及び室内送風機制御部５７を備えるものである。
【００３４】
運転条件判定部５３は、配管温度センサ３３により検知された配管温度ＥＴと目標蒸発温度ＥＴｍとの差分が設定閾値より小さいか否かを判定する。運転条件判定部５３は、さらに、室内温度Ｔｒと設定温度Ｔｓｅｔとの差分が設定閾値より小さいか否か、かつ、室内送風機３２の回転数Ｒｍが最小回転数でないかを判定する。
【００３５】
具体的には、運転条件判定部５３は、配管温度ＥＴと目標蒸発温度ＥＴｍとの温度差ΔＥＴ（ΔＥＴ＝ＥＴ−ＥＴｍ）が、低温閾値（例えば−２℃）より小さい（ΔＥＴ＜−２）か否かを判定する。温度差ΔＥＴが−２℃以上の場合（ΔＥＴ≧−２）は、さらに、温度差ΔＥＴが、高温閾値（例えば０℃）より小さい（ΔＥＴ＜０）か否かを判定する。温度差ΔＥＴが０℃より小さい場合（ΔＥＴ＜０）は、さらに、温度差ΔＴｊ（室内温度Ｔｒ−設定温度Ｔｓｅｔ）が室温閾値（例えば２℃）より小さい（ΔＴｊ＜２）か、かつ、室内送風機３２の回転数Ｒｍが最小回転数でない（Ｒｍ≠Ｍｉｎ）か否かを判定する。温度差ΔＥＴが０℃以上の場合（ΔＥＴ≧０）もまた、温度差ΔＴｊ（室内温度Ｔｒ−設定温度Ｔｓｅｔ）が、室温閾値（例えば２℃）より小さい（ΔＴｊ＜２）か、かつ、室内送風機３２の回転数Ｒｍが最小回転数でない（Ｒｍ≠Ｍｉｎ）か否かを判定する。
【００３６】
室内送風機制御部５７は、運転条件判定部５３からの判定結果に基づき、室内送風機３２のファンモータ（ＦＭ）の回転数を調整することで室内送風機３２の回転数を制御し、室内熱交換器の配管温度の調整を行う。
【００３７】
具体的には、温度差ΔＥＴが、温度差ΔＥＴ＜−２ではない場合、すなわち、配管温度Ｅｔが、目標蒸発温度Ｅｔｍに近いか目標蒸発温度Ｅｔｍより大きい場合は、これ以上配管温度Ｅｔが上がると除湿できない状態であるか、除湿できていない状態である。室内送風機制御部５７は、ΔＴｊ＜２かつＲｍ≠Ｍｉｎの場合、すなわち、室内温度Ｔｒが設定温度Ｔｓｅｔに近いか又は設定温度Ｔｓｅｔより低い場合、かつ、室内送風機３２の回転数Ｒｍが最小回転数でない場合には、室内送風機３２の回転数を下げる。室内送風機３２の回転数が下げることにより、室内熱交換機の熱交換が抑えられ、潜熱能力が増大する。
【００３８】
図５は、本発明の実施の形態２に係る空気調和機の制御フローを示す図である。操作部３７に室内の設定温度が入力され（ステップＳＴ２１）、冷房運転が開始される（ステップＳＴ２２）。室内温度センサ３４が検知した室内温度Ｔｒが、運転条件設定部５１に入力される（ステップＳＴ２３）。運転条件設定部５１は、設定温度Ｔｓｅｔと、室内温度Ｔｒとに基づき圧縮機の出力を演算し、駆動周波数ｆｚｄを設定する（ステップＳＴ２４）。目標蒸発温度設定部６３は、室内温度Ｔｒから求める露点温度を算出し、露点温度を目標蒸発温度ＥＴｍとして設定する（ステップＳＴ２５）。
【００３９】
運転条件判定部５３は、配管温度センサ３３から配管温度ＥＴを取得する（ステップＳＴ２６）。運転条件判定部５３は、配管温度ＥＴと目標蒸発温度ＥＴｍとの温度差ΔＥＴ（ΔＥＴ＝ＥＴ−ＥＴｍ）が低温閾値（例えば−２℃）より小さい（ΔＥＴ＜−２）か否かを判定する（ステップＳＴ２７）。
【００４０】
運転条件判定部５３が、温度差ΔＥＴが−２℃より小さい（ΔＥＴ＜−２）と判定した場合（ステップＳＴ２７がＹＥＳ）は、圧縮機制御部５５が、圧縮機２１に設定された駆動周波数ｆｚｄを出力する（ステップＳＴ２８）。
【００４１】
運転条件判定部５３が、温度差ΔＥＴが−２℃以上（ΔＥＴ≧−２）と判定した場合（ステップＳＴ２７がＮＯ）は、運転条件判定部５３は、温度差ΔＥＴが高温閾値（例えば０℃）より小さい（ΔＥＴ＜０）か否かをさらに判定する（ステップＳＴ２９）。
【００４２】
運転条件判定部５３が、温度差ΔＥＴが０℃より小さい（ΔＥＴ＜０）と判定した場合（ステップＳＴ２９がＹＥＳ）は、運転条件判定部５３が、温度差ΔＴｊ(室内温度Ｔｒ−設定温度Ｔｓｅｔ)が室温閾値（例えば２℃）より小さい（ΔＴｊ＜２）か、かつ、室内送風機３２の回転数Ｒｍが最小回転数でない（Ｒｍ≠Ｍｉｎ）か否かをさらに判定する（ステップＳＴ３０）。
【００４３】
運転条件判定部５３が、温度差ΔＴｊが２℃より小さく（ΔＴｊ＜２）、かつ、室内送風機３２の回転数Ｒｍが最小回転数でない（Ｒｍ≠Ｍｉｎ）と判定した場合（ステップＳＴ３０がＹＥＳ）は、室内送風機制御部５７は、室内送風機３２の回転数Ｒｍを減少させる（ステップＳＴ３１）。
【００４４】
運転条件判定部５３が、温度差ΔＥＴが０℃より小さい（ΔＥＴ＜０）と判定した場合（ステップＳＴ２９がＹＥＳ）には、ステップＳＴ３０の結果に関わらず、圧縮機制御部５５は、周波数をダウンさせない（ステップＳＴ３２）。圧縮機制御部５５は、駆動周波数ｆｚｄが運転周波数より大きい場合にのみ出力する。
【００４５】
運転条件判定部５３が、温度差ΔＥＴが０℃以上（ΔＥＴ≧０）と判定した場合（ステップＳＴ２９がＮＯ）は、運転条件判定部５３が、温度差ΔＴｊが２℃より小さい（ΔＴｊ＜２）か、かつ、室内送風機３２の回転数Ｒｍが最小回転数でない（Ｒｍ≠Ｍｉｎ）か否かを判定する（ステップＳＴ３３）。
【００４６】
運転条件判定部５３が、温度差ΔＴｊが２℃より小さく（ΔＴｊ＜２）、かつ、室内送風機３２の回転数Ｒｍが最小回転数でない（Ｒｍ≠Ｍｉｎ）と判定した場合（ステップＳＴ３３がＹＥＳ）は、室内送風機制御部５７は、室内送風機３２の回転数Ｒｍを減少させる（ステップＳＴ３４）。
【００４７】
運転条件判定部５３が、温度差ΔＥＴが０℃以上（ΔＥＴ≧０）と判定した場合（ステップＳＴ２９がＮＯ）は、ステップＳＴ３３の結果に関わらず、圧縮機制御部５５は、周波数を上昇させる（ステップＳＴ３５）。
【００４８】
その後、（ステップＳＴ２８）、（ステップＳＴ３２）及び（ステップＳＴ３５）で制御された圧縮機２１及び室内送風機３２の駆動に基づき変化した室内温度Ｔｒが室内温度センサ３４によって検知され（ステップＳＴ２３）、上記一例の処理が繰り返される（ステップＳＴ２３〜ステップＳＴ３５）。
【００４９】
以上のように、室内送風機の回転数が制御され、室内熱交換器２５における熱交換が調整されることで配管温度ＥＴの蒸発温度が調整される。その結果、冷房運転開始時から温度と湿度とを素早く目標値に近づけることで快適な空調を行うことができる。
【００５０】
なお、本発明の実施の形態は、上記実施の形態１、２に限定されない。例えば、ここでは圧縮機２１の一例として、スクロール型、ロータリー型圧縮機を一例に示したが、レシプロ型等その圧縮構造を問わない。また、冷媒回路１５に、流路切替器やアキュムレーター等が設けられていてもよい。また、操作部３７は、遠隔操作器であるが、室内機１２に設けられていてもよい。
【符号の説明】
【００５１】
１  空気調和機、１１  室外機、１２  室内機、１３  冷媒配管、１５  冷媒回路、２１  圧縮機、２２  流路切替器、２３  室外熱交換器、２４  膨張弁、２５  室内熱交換機、３１  室外送風機、３２  室内送風機、３３  配管温度センサ、３４  室内温度センサ、３６  室内送風機回転数センサ、３７  操作部、４０  制御装置、５１  運転条件設定部、５３  運転条件判定部、５５  圧縮機制御部、５７  室内送風機制御部、６１  駆動周波数設定部、６３  目標蒸発温度設定部、６５  設定条件記憶部。
【図１】
2017179192.tif 000003
【図２】
2017179192.tif 000004
【図３】
2017179192.tif 000005
【図４】
2017179192.tif 000006
【図５】
2017179192.tif 000007
【手続補正書】
【提出日】平成30年7月2日(2018.7.2)
【手続補正１】
【補正対象書類名】明細書
【補正対象項目名】０００６
【補正方法】変更
【補正の内容】
【０００６】
本発明に係る空気調和機は、圧縮機、室外熱交換器、膨張弁、及び室内熱交換器が冷媒配管を介して接続された冷媒回路と、室内熱交換器が設置された室内の室内温度を検知する室内温度センサと、室内熱交換器の配管温度を検知する配管温度センサと、室内温度センサと配管温度センサとの検知結果に基づき圧縮機を制御する制御装置と、を備え、制御装置は、室内温度センサにより検知された室内温度と設定温度とを用いて圧縮機の駆動周波数を設定すると共に、室内温度センサにより検知された室内温度から目標蒸発温度を設定する運転条件設定部と、配管温度センサにより検知された配管温度と目標蒸発温度との差分が高温閾値より小さいか否かを判定する運転条件判定部と、運転条件判定部の判定において、配管温度と目標蒸発温度との差分が高温閾値以上の場合に、駆動周波数よりも高い周波数で圧縮機を駆動させる圧縮機制御部と、を有し、運転条件判定部は、配管温度センサにより検知された配管温度と目標蒸発温度との差分が低温閾値より小さいか否かをさらに判定し、圧縮機制御部は、運転条件判定部の判定において、配管温度と目標蒸発温度との差分が高温閾値より小さく低温閾値以上である場合に、圧縮機の運転周波数を下げず、駆動周波数が圧縮機の運転周波数より大きい場合にのみ駆動周波数で圧縮機を駆動させるものである。
【手続補正２】
【補正対象書類名】特許請求の範囲
【補正対象項目名】全文
【補正方法】変更
【補正の内容】
【特許請求の範囲】
【請求項１】
圧縮機、室外熱交換器、膨張弁、及び室内熱交換器が冷媒配管を介して接続された冷媒回路と、
前記室内熱交換器が設置された室内の室内温度を検知する室内温度センサと、
前記室内熱交換器の配管温度を検知する配管温度センサと、
前記室内温度センサと前記配管温度センサとの検知結果に基づき前記圧縮機を制御する制御装置と、
を備え、
前記制御装置は、
前記室内温度センサにより検知された室内温度と設定温度とを用いて前記圧縮機の駆動周波数を設定すると共に、前記室内温度センサにより検知された室内温度から目標蒸発温度を設定する運転条件設定部と、
前記配管温度センサにより検知された配管温度と前記目標蒸発温度との差分が高温閾値より小さいか否かを判定する運転条件判定部と、
前記運転条件判定部の判定において、前記配管温度と前記目標蒸発温度との差分が前記高温閾値以上の場合に、前記駆動周波数よりも高い周波数で前記圧縮機を駆動させる圧縮機制御部と、
を有し、
前記運転条件判定部は、
前記配管温度センサにより検知された配管温度と前記目標蒸発温度との差分が低温閾値より小さいか否かをさらに判定し、
前記圧縮機制御部は、
前記運転条件判定部の判定において、前記配管温度と前記目標蒸発温度との差分が前記高温閾値より小さく前記低温閾値以上である場合に、前記圧縮機の運転周波数を下げず、前記駆動周波数が前記圧縮機の運転周波数より大きい場合にのみ前記駆動周波数で前記圧縮機を駆動させる
空気調和機。
【請求項２】
前記圧縮機制御部は、
前記運転条件判定部の判定において、前記配管温度と前記目標蒸発温度との差分が前記低温閾値より小さい場合に、前記駆動周波数で前記圧縮機を駆動させる請求項１に記載の空気調和機。
【請求項３】
前記運転条件設定部は、前記室内温度センサが検知した室内温度から露点温度を算出し、前記露点温度を前記目標蒸発温度と設定する相関関係のテーブルを有する請求項１又は２に記載の空気調和機。
【請求項４】
前記室内熱交換器に対向する室内送風機をさらに備え、
前記運転条件判定部は、前記室内温度と設定温度との差分が室温閾値より小さいか否か、かつ、前記室内送風機の回転数が最小回転数であるか否かをさらに判定し、
前記室内温度と設定温度との差分が前記室温閾値より小さく、かつ、前記室内送風機の回転数が最小回転数でない場合に前記室内送風機の回転数を下げて前記室内送風機を駆動させる室内送風機制御部をさらに有する、請求項１〜３のいずれか１項に記載の空気調和機。
【国際調査報告】
2017179192.tif 000008
2017179192.tif 000009
2017179192.tif 000010
2017179192.tif 000011